(57)【特許請求の範囲】
【請求項１】
２以上の折り丁にわたって規則的に形成される２以上のマークからなるマーク集合体の形態を複数指定するマーク形態指定部と、
各前記折り丁の周縁部のうち各前記マーク集合体を配置する配置領域をそれぞれ指定する配置領域指定部と、
前記２以上の折り丁の形態を表す折り丁画像上の、前記配置領域指定部により指定された各前記配置領域に対応する画像領域に、前記マーク形態指定部により指定された各前記マーク集合体の形態を表す画像集合体をそれぞれ重ねて配置することで、丁合い物の形態を模擬的に可視化する丁合い画像を作成する丁合い画像作成部と、
前記２以上の折り丁のうち、形成されるマークの形態及び配置位置がすべて一致する折り丁が存在するか否かを判別するマーク一致性判別部と、
を有することを特徴とする画像編集装置。
【請求項２】
請求項１記載の画像編集装置において、
前記マーク形態指定部は、折り丁毎の配置位置を周期的に変化させた２以上のマークからなる第１マーク集合体の形態を少なくとも１つ指定するとともに、前記第１マーク集合体の繰り返し単位の配列順番を表す２以上のマークからなる第２マーク集合体を少なくとも１つ指定することを特徴とする画像編集装置。
【請求項３】
請求項１又は２に記載の画像編集装置において、
前記配置領域指定部は、各前記マーク集合体が互いに重ならない位置関係下に各前記配置領域をそれぞれ指定することを特徴とする画像編集装置。
【請求項４】
請求項１〜３のいずれか１項に記載の画像編集装置において、
前記周縁部は、背、天及び地のうちの少なくとも１つの部位であることを特徴とする画像編集装置。
【請求項５】
請求項１〜４のいずれか１項に記載の画像編集装置において、
前記マーク一致性判別部により一致する折り丁が存在すると判別された場合、前記マークの形態及び配置位置が重複する旨を警告する警告画像を作成する警告画像作成部をさらに有することを特徴とする画像編集装置。
【請求項６】
請求項１〜５のいずれか１項に記載の画像編集装置において、
前記マーク形態指定部は、前記マーク一致性判別部により一致する折り丁が存在すると判別された場合、各前記マーク集合体の形態の指定を禁止することを特徴とする画像編集装置。
【請求項７】
請求項１〜６のいずれか１項に記載の画像編集装置において、
前記丁合い画像作成部は、前記丁合い物の三次元形態を可視化する前記丁合い画像を作成することを特徴とする画像編集装置。
【請求項８】
請求項７記載の画像編集装置において、
前記丁合い画像作成部は、骨格のみで形成された前記折り丁画像を用いて前記丁合い画像を作成することを特徴とする画像編集装置。
【請求項９】
請求項１〜８のいずれか１項に記載の画像編集装置において、
前記丁合い画像作成部により作成された前記丁合い画像を表示する表示部をさらに有することを特徴とする画像編集装置。
【請求項１０】
請求項１〜９のいずれか１項に記載の画像編集装置において、
前記マーク形態指定部は、ユーザインターフェースからの入力に応じて、各前記マーク集合体の形態をそれぞれ指定することを特徴とする画像編集装置。
【請求項１１】
請求項１〜１０のいずれか１項に記載の画像編集装置において、
前記配置領域指定部は、ユーザインターフェースからの入力に応じて、各前記配置領域をそれぞれ指定することを特徴とする画像編集装置。
【請求項１２】
請求項１〜１１のいずれか１項に記載の画像編集装置において、
各前記マーク集合体の形態及び前記配置領域に関するマーク情報を記憶するマーク情報記憶部をさらに有することを特徴とする画像編集装置。
【請求項１３】
２以上の折り丁にわたって規則的に形成される２以上のマークからなるマーク集合体の形態を複数指定するステップと、
各前記折り丁の周縁部のうち各前記マーク集合体を配置する配置領域をそれぞれ指定するステップと、
前記２以上の折り丁の形態を表す折り丁画像上の、指定された各前記配置領域に対応する画像領域に、指定された各前記マーク集合体の形態を表す画像集合体をそれぞれ重ねて配置することで、丁合い物の形態を模擬的に可視化する丁合い画像を作成するステップと
を備え、
前記２以上の折り丁のうち、形成されるマークの形態及び配置位置がすべて一致する折り丁が存在するか否かを判別することを特徴とする画像編集方法。
【請求項１４】
コンピュータを、
２以上の折り丁にわたって規則的に形成される２以上のマークからなるマーク集合体の形態を複数指定するマーク形態指定部、
各前記折り丁の周縁部のうち各前記マーク集合体を配置する配置領域をそれぞれ指定する配置領域指定部、
前記２以上の折り丁の形態を表す折り丁画像上の、前記配置領域指定部により指定された各前記配置領域に対応する画像領域に、前記マーク形態指定部により指定された各前記マーク集合体の形態を表す画像集合体をそれぞれ重ねて配置することで、丁合い物の形態を模擬的に可視化する丁合い画像を作成する丁合い画像作成部、
前記２以上の折り丁のうち、形成されるマークの形態及び配置位置がすべて一致する折り丁が存在するか否かを判別するマーク一致性判別部
として機能させることを特徴とするプログラム。
【発明の詳細な説明】
【技術分野】
【０００１】
本発明は、画像編集装置、画像編集方法及びプログラムに関する。
【背景技術】
【０００２】
従来から、印刷製版の分野において、製本工程での乱丁、取り込み、落丁等を防止するため、折り丁の順序を識別可能なマーク（背丁・背標）を付与する場合がある。そして、１冊分の折り丁が正しく丁合いされているか否かを自動的に検査する装置及び方法が種々提案されている（特許文献１〜３参照）。
【０００３】
近時、中間成果物を生成せずに電子データにより直接刷版を形成するＣＴＰ（Computer to Plate）が普及している。このＣＴＰ用データを用いて校正作業を効率的に行うため、校正支援ツールが種々提案されている。
【０００４】
特許文献４では、印刷・加工すべき文書の電子出力表現を生成するシステムが提案されている。このシステムによれば、例えば、各用紙が丁合いされている場合に、背標を見て落丁の有無を検出できる。
【先行技術文献】
【特許文献】
【０００５】
【特許文献１】特開平７−１１７９２２号公報
【特許文献２】特開平４−３６１０９３号公報
【特許文献３】特開昭６０−８５９９８号公報
【特許文献４】特表２０１０−５３７２９８号公報（段落［００５３］、図１１）
【発明の概要】
【発明が解決しようとする課題】
【０００６】
本発明は、特許文献４に開示されている技術的思想に関連してなされたものであって、丁合い用のマークの形態及び配置位置を容易且つ簡便にカスタマイズ可能な画像編集装置、画像編集方法及びプログラムを提供することを目的とする。
【課題を解決するための手段】
【０００７】
本発明に係る画像編集装置は、２以上の折り丁にわたって規則的に形成される２以上のマークからなるマーク集合体の形態を複数指定するマーク形態指定部と、各前記折り丁の周縁部のうち各前記マーク集合体を配置する配置領域をそれぞれ指定する配置領域指定部と、前記２以上の折り丁の形態を表す折り丁画像上の、前記配置領域指定部により指定された各前記配置領域に対応する画像領域に、前記マーク形態指定部により指定された各前記マーク集合体の形態を表す画像集合体をそれぞれ重ねて配置することで、丁合い物の形態を模擬的に可視化する丁合い画像を作成する丁合い画像作成部とを有することを特徴とする。
【０００８】
このように、２以上の折り丁の形態を表す折り丁画像上の、指定された各配置領域に対応する画像領域に、指定された各マーク集合体の形態を表す画像集合体をそれぞれ重ねて配置することで、丁合い物の形態を模擬的に可視化する丁合い画像を作成するようにしたので、マークの形態及び配置位置の組み合わせの指定が簡便であるとともに、現物（丁合い物）と同一の形態について容易に確認可能である。これにより、丁合い用のマークの形態及び配置位置を容易且つ簡便にカスタマイズできる。
【０００９】
また、前記マーク形態指定部は、折り丁毎の配置位置を周期的に変化させた２以上のマークからなる第１マーク集合体の形態を少なくとも１つ指定するとともに、前記第１マーク集合体の繰り返し単位の配列順番を表す２以上のマークからなる第２マーク集合体を少なくとも１つ指定することが好ましい。
【００１０】
さらに、前記配置領域指定部は、各前記マーク集合体が互いに重ならない位置関係下に各前記配置領域をそれぞれ指定することが好ましい。
【００１１】
さらに、前記周縁部は、背、天及び地のうちの少なくとも１つの部位であることが好ましい。
【００１２】
さらに、前記２以上の折り丁のうち、形成されるマークの形態及び配置位置がすべて一致する折り丁が存在するか否かを判別するマーク一致性判別部をさらに有することが好ましい。
【００１３】
さらに、前記マーク一致性判別部により一致する折り丁が存在すると判別された場合、前記マークの形態及び配置位置が重複する旨を警告する警告画像を作成する警告画像作成部をさらに有することが好ましい。
【００１４】
さらに、前記マーク形態指定部は、前記マーク一致性判別部により一致する折り丁が存在すると判別された場合、各前記マーク集合体の形態の指定を禁止することが好ましい。
【００１５】
さらに、前記丁合い画像作成部は、前記丁合い物の三次元形態を可視化する前記丁合い画像を作成することが好ましい。
【００１６】
さらに、前記丁合い画像作成部は、骨格のみで形成された前記折り丁画像を用いて前記丁合い画像を作成することが好ましい。
【００１７】
さらに、前記丁合い画像作成部により作成された前記丁合い画像を表示する表示部をさらに有することが好ましい。
【００１８】
さらに、前記マーク形態指定部は、ユーザインターフェースからの入力に応じて、各前記マーク集合体の形態をそれぞれ指定することが好ましい。
【００１９】
さらに、前記配置領域指定部は、ユーザインターフェースからの入力に応じて、各前記配置領域をそれぞれ指定することが好ましい。
【００２０】
さらに、各前記マーク集合体の形態及び前記配置領域に関するマーク情報を記憶するマーク情報記憶部をさらに有することが好ましい。
【００２１】
本発明に係る画像編集方法は、２以上の折り丁にわたって規則的に形成される２以上のマークからなるマーク集合体の形態を複数指定するステップと、各前記折り丁の周縁部のうち各前記マーク集合体を配置する配置領域をそれぞれ指定するステップと、前記２以上の折り丁の形態を表す折り丁画像上の、指定された各前記配置領域に対応する画像領域に、指定された各前記マーク集合体の形態を表す画像集合体をそれぞれ重ねて配置することで、丁合い物の形態を模擬的に可視化する丁合い画像を作成するステップとを備えることを特徴とする。
【００２２】
本発明に係るプログラムは、コンピュータを、２以上の折り丁にわたって規則的に形成される２以上のマークからなるマーク集合体の形態を複数指定するマーク形態指定部、各前記折り丁の周縁部のうち各前記マーク集合体を配置する配置領域をそれぞれ指定する配置領域指定部、前記２以上の折り丁の形態を表す折り丁画像上の、前記配置領域指定部により指定された各前記配置領域に対応する画像領域に、前記マーク形態指定部により指定された各前記マーク集合体の形態を表す画像集合体をそれぞれ重ねて配置することで、丁合い物の形態を模擬的に可視化する丁合い画像を作成する丁合い画像作成部として機能させることを特徴とする。
【発明の効果】
【００２３】
本発明に係る画像編集装置、画像編集方法及びプログラムによれば、２以上の折り丁の形態を表す折り丁画像上の、指定された各配置領域に対応する画像領域に、指定された各マーク集合体の形態を表す画像集合体をそれぞれ重ねて配置することで、丁合い物の形態を模擬的に可視化する丁合い画像を作成するようにしたので、マークの形態及び配置位置の組み合わせの指定が簡便であるとともに、現物（丁合い物）と同一の形態について容易に確認可能である。これにより、丁合い用のマークの形態及び配置位置を容易且つ簡便にカスタマイズできる。
【図面の簡単な説明】
【００２４】
【図１】本実施の形態に係る画像編集装置が組み込まれた印刷物生産システムの概略説明図である。
【図２】各折り丁が正しく配置された丁合い物の概略正面図である。
【図３】図１に示す画像編集装置の電気的なブロック図である。
【図４】図１に示す印刷物生産システムを用いた印刷ワークフローの概略を説明するフローチャートである。
【図５】図４のステップＳ５でのマークの付与の際の、画像編集装置の動作説明に供されるフローチャートである。
【図６】１８束の折り丁の形態を模擬的に表す折り丁画像の概略正面図である。
【図７】マーク集合体の設定例を表す第１画像図である。
【図８】図８Ａ及び図８Ｂは、各画像集合体の形態を模式的に表す概略説明図である。図８Ｃは、各画像集合体の配置領域を模式的に表す概略説明図である。
【図９】丁合い画像の表示例を表す第２画像図である。
【図１０】マーク集合体の設定例を表す第３画像図である。
【図１１】本実施の形態の第１変形例に係る画像図である。
【図１２】図１１に示すウィンドウの変化状態を表す画像図である。
【図１３】図１３Ａ及び図１３Ｂは、本実施の形態の第２変形例に係る画像図である。
【発明を実施するための形態】
【００２５】
以下、本発明に係る画像編集方法について、それを実施する画像編集装置並びに印刷物生産システムとの関係において好適な実施形態を挙げ、添付の図面を参照しながら詳細に説明する。
【００２６】
図１は、本実施の形態に係る画像編集装置２０が組み込まれた印刷物生産システム１０の概略説明図である。
【００２７】
印刷物生産システム１０は、製版サイト１２と、印刷サイト１４と、製本サイト１５、データベースサーバ１６と、ネットワーク１８とを基本的に備える。製版サイト１２内には、画像編集装置２０と、校正機２２とが設けられている。
【００２８】
画像編集装置２０は、ページ記述言語（以下、ＰＤＬという。）によるページ単位の編集データ（ページ記述データ）、例えば、４色（ＣＭＹＫ）や３色（ＲＧＢ）のカラーチャンネルからなるＰＤＬ形式のデータを生成する。
【００２９】
ここで、ＰＤＬとは、印刷や表示等の出力単位である「ページ」内で文字、図形等の書式情報、位置情報、色情報（濃度情報を含む。）等の画像情報を記述する言語である。例えば、ＰＤＦ（”Portable Document Format”の略で、ＩＳＯ３２０００−１：２００８に規定）、ＡｄｏｂｅＳｙｓｔｅｍｓ社のＰｏｓｔＳｃｒｉｐｔ（登録商標）やＸＰＳ（XML Paper Specification）等が知られている。
【００３０】
画像編集装置２０は、ページ単位の編集データに対して、所望の画像処理、例えばプレフライト処理、色変換処理、又は配置処理等を行った後、ラスタ形式のデータ（例えば、ビットマップやＴＩＦＦ）に変換し、印刷データを校正機２２に送信する各機能を有している。
【００３１】
画像編集装置２０は、本体部２６と、表示部２８と、入力部３０（キーボード３２及びマウス３４）とを備える。ポインティングデバイスとしてのマウス３４に代替し、トラックパッドやトラックボールを用いてもよい。
【００３２】
校正機２２は、校正するための校正刷り２４を得る出力装置である。校正機２２として、オフセット印刷機と同等の印刷性能を備えるＤＤＣＰ（Direct Digital Color Proofer）、インクジェットカラープルーファ、低解像度のカラーレーザプリンタ（電子写真方式）やインクジェットプリンタ等が用いられる。
【００３３】
データベースサーバ１６は、最終印刷物ＦＰの生産に必要な各種データファイルを保存、更新、削除等する。各種データファイルには、図示しない制作会社からの素材データ（コンテンツ）、校正データ、刷版用データ、ジョブチケット｛例えば、ＪＤＦ（Job Definition Format）ファイル｝、ＩＣＣ（International Color Consortium）プロファイル、色見本データ等が含まれる。
【００３４】
ネットワーク１８は、イーサネット（登録商標）等の通信規格に基づいて構築されている。そして、ネットワーク１８を介して、製版サイト１２と、印刷サイト１４と、データベースサーバ１６とが相互に接続されている。例えば、製版サイト１２と印刷サイト１４とが地理的に離れている場合、ネットワーク１８を介して、刷版用データは、製版サイト１２と印刷サイト１４との間で授受される。
【００３５】
印刷サイト１４には、刷版用データを用いて所望の画像処理を行う画像処理装置、刷版を作成するためのプレートセッタ、所望の画像を各種メディアに印刷して印刷物（複数の端物３６）を得るオフセット印刷機等が配置されている。なお、プレートセッタ及びオフセット印刷機に代替して、刷版用データから直接印刷可能なデジタル印刷機を設けてもよい。
【００３６】
製本サイト１５には、印刷サイト１４側から供給された複数の端物３６に対して、表面処理、紙折り、丁合い、綴じ、断裁、表紙貼り等の生産工程を実行する各種装置が配置されている。そして、前記生産工程が順次実行されることで、最終印刷物ＦＰ（本図例では上製本）が生産される。
【００３７】
図２は、各折り丁４２が正しく配置された丁合い物４０の概略正面図である。各折り丁４２は、第１折り丁（左側）から第１８折り丁（右側）までの順に、背４４の位置を揃えた状態で配されている。各折り丁４２の周縁部４６（本図例では、背４４のみ）には、２以上の折り丁４２にわたって、複数のマーク集合体がそれぞれ形成されている。本明細書において、マーク集合体とは、共通する性質を備えるマーク（背丁、背標を含む。）の集合を意味する。例えば、折り丁４２の配列順番を看者に観念させるものであればよい。
【００３８】
背４４の下方部の配置領域４７に配置されたマーク集合体４８（第１マーク集合体）は、複数のマーク５０で構成されている。各マーク５０は、高さ方向に長尺な矩形状であり、それぞれ同一の形状を有している。各マーク５０は、折り丁４２毎に周期的に位置を異ならせて配置されている。本図例では、マーク集合体４８の繰り返し単位５２は、６つのマーク５０からなる。
【００３９】
背４４の上方部の配置領域５３に配置されたマーク集合体５４（第２マーク集合体）は、複数のマーク５６、５７、５８で構成されている。各マーク５６は、高さ方向に僅かに長尺な矩形状であり、第１〜第６折り丁（１番目の繰り返し単位５２）においてそれぞれ同一の形状を有している。各マーク５７は、マーク５６と同一の形状を有するマークを高さ方向に２つ並べて構成されており、第７〜第１２折り丁（２番目の繰り返し単位５２）においてそれぞれ同一の形状を有している。各マーク５８は、マーク５６と同一の形状を有するマークを高さ方向に３つ並べて構成されており、第１３〜第１８折り丁（３番目の繰り返し単位５２）においてそれぞれ同一の形状を有している。各マーク５６〜５８は、繰り返し単位５２毎に規則的に形状を異ならせて配置されている。本図例では、繰り返し単位５２の配列順番に応じて、矩形状のマークの数を増やしている。
【００４０】
このように、本図例のマーク集合体４８、５４を各折り丁４２に付与（合わせて印刷）することで、第１〜第１８折り丁の配置（向き及び順番）を一意に特定できる。
【００４１】
図３は、図１に示す画像編集装置２０の電気的なブロック図である。
【００４２】
本体部２６は、制御部６０と、通信Ｉ／Ｆ６２と、表示制御部６４と、印刷Ｉ／Ｆ６６と、メモリ６８（マーク情報記憶部）とを備える。
【００４３】
通信Ｉ／Ｆ６２は、外部装置からの電気信号を送受信するインターフェースである。例えば、図示しない制作会社から提供された素材データを取得可能である。また、データベースサーバ１６で管理・保存された刷版用データ、ＩＣＣプロファイル等の各種情報を取得可能である。
【００４４】
表示制御部６４は、制御部６０の制御に従って、表示部２８を駆動制御する制御回路である。表示制御部６４が、図示しないＩ／Ｆを介して、表示制御信号を表示部２８に出力することで、表示部２８が駆動する。これにより、表示部２８は、各種画像を表示することができる。
【００４５】
印刷Ｉ／Ｆ６６は、印刷データとしての電気信号を送信するインターフェースである。印刷Ｉ／Ｆ６６を介して、校正機２２は、所望の校正刷り２４を印刷することができる。
【００４６】
メモリ６８は、制御部６０が各部を制御するのに必要なプログラム及びデータ等を記憶している。データの一例として、マーク集合体４８、５４の形態及び配置領域４７、５３に関する情報（以下、マーク情報をいう。）が挙げられる。メモリ６８は、不揮発性のメモリ、ハードディスク等の記録媒体であってよい。
【００４７】
制御部６０は、ＣＰＵ等のプロセッサによって構成されている。制御部６０は、メモリ６８に格納されたプログラムを読み出し実行することで、画像編集部７０、ＲＩＰ処理部７２、及び表示データ作成部７４の機能を実現可能である。
【００４８】
画像編集部７０は、文字、図形、絵柄や写真等から構成される素材データから、ページ単位の編集データを作成する。また、画像編集部７０は、指定された綴じ方法や紙折り方法に応じて、所定サイズの用紙上にページ単位で面付けするための面付けデータ（例えば、ジョブチケット）を作成する。
【００４９】
ＲＩＰ処理部７２は、面付けデータを参照しつつページ単位の編集データを面付けすることで面付け済みデータを得る面付け処理部７６と、面付け済みデータに対してラスタライズ処理を施すラスタライズ処理部７８とを備える。このラスタライズ処理には、ＰＤＬ形式からラスタ形式に変換するデータ形式変換処理と、ＩＣＣプロファイルを用いたカラーマッチング処理とが含まれる。
【００５０】
表示データ作成部７４は、最終印刷物ＦＰに関する面付け情報を取得する面付け情報取得部８０と、各マーク集合体４８、５４の形態をそれぞれ指定するマーク形態指定部８２と、マーク集合体４８、５４の各配置領域４７、５３をそれぞれ指定する配置領域指定部８４と、丁合い物４０（図２参照）の形態を模擬的に可視化する丁合い画像２４６（図９参照）を作成する丁合い画像作成部８６と、各折り丁４２に形成されるマーク５０、５６〜５８の形態及び配置位置が相互に一致するか否かを判別するマーク一致性判別部８８と、マーク５０、５６〜５８の形態及び配置位置が一致する旨を報知・警告する警告画像１７４（図１２参照）を作成する警告画像作成部９０とを備える。
【００５１】
上記した表示部２８の表示機能と、入力部３０の入力機能とを併せて用いることで、ユーザインターフェース（ＵＩ部９２）を実現する。このとき、入力部３０は、マーク集合体４８、５４に関するマーク情報を入力するマーク情報入力部９４、及び丁合い画像２４６（図９参照）の表示形態に関する情報（以下、表示状態情報という。）を入力する表示状態情報入力部９６として機能する。
【００５２】
本実施の形態に係る画像編集装置２０は、以上のように構成される。続いて、印刷物生産システム１０を用いた印刷ワークフローの概略について、図４のフローチャートを主に参照しながら説明する。製版サイト１２（図１参照）内での作業工程は、ステップＳ１〜Ｓ６から構成されている。本実施の形態では、特に校正工程を中心に説明する。
【００５３】
先ず、制作会社等に属するデザイナは、最終印刷物ＦＰの素材データ（コンテンツ）を入稿するとともに、製版サイト１２に属するユーザとしての作業者は、前記素材データを編集してＤＴＰ処理を行う（ステップＳ１）。例えば、画像編集装置２０は、データベースサーバ１６に予め保存された素材データを、ネットワーク１８、通信Ｉ／Ｆ６２を介して取得した後、メモリ６８に一旦記録する。
【００５４】
そして、作業者による編集作業に応じて、画像編集部７０は、１つ又は複数の素材データからページ単位の編集データを作成する。そして、画像編集部７０は、指定された綴じ方法や紙折り方法に応じた面付けデータを作成する。そして、入稿・ＤＴＰ工程が完了した後、次の工程に移行するため、前記ページ単位の編集データ及び面付けデータを、校正データとしてメモリ６８に一時的に記録する。
【００５５】
次いで、作業者は、校正データの校正を行うため、校正機２２に校正刷り２４を印刷させる（ステップＳ２）。印刷指示に応じて、ＲＩＰ処理部７２（図３参照）は、メモリ６８から取得した校正データから、面付け済みのラスタデータに変換する。そして、校正機２２は、印刷Ｉ／Ｆ６６を介して、前記ラスタデータを取得し、図示しないメディア上に画像を印刷することで、校正刷り２４を得る。このとき、最終印刷物ＦＰの色を再現するように、公知のカラーマッチング技術を用いて校正刷り２４の色を調整してもよい。
【００５６】
次いで、作業者は、校正データについて修整箇所があるか否かを確認する（ステップＳ３）。修整箇所があった場合、現時点での校正データを修整した上で（ステップＳ４）、作業者は、校正作業を繰り返す（ステップＳ２〜Ｓ４）。
【００５７】
修整箇所がないと判別された場合、作業者は、校了データに、丁合い用のマーク５０、５６〜５８を電子的に付与させる（ステップＳ５）。なお、マーク５０、５６〜５８を付与する際の、画像編集装置２０の動作については後述する。
【００５８】
次いで、得られた校了データをデータベースサーバ１６にアップロードし、データファイルを保存する（ステップＳ６）。そして、印刷サイト１４において、データベースサーバ１６からダウンロードした校了データ（すなわち、刷版用データ）に基づいて、複数の端物３６を印刷する（ステップＳ７）。
【００５９】
最後に、製本サイト１５において、複数の端物３６に対し各種処理を施して、最終印刷物ＦＰの生産を行う（ステップＳ８）。
【００６０】
以上のように、印刷物生産システム１０を用いることで、最終印刷物ＦＰの生産が可能である。続いて、ステップＳ５（図４参照）におけるマーク５０、５６〜５８の付与の際の、画像編集装置２０の動作について、図５〜図１０を参照しながら詳細に説明する。
【００６１】
先ず、図５において、面付け情報取得部８０は、メモリ６８から読み出した面付けデータを参照し、最終印刷物ＦＰに関する面付け情報を取得する（ステップＳ５１）。これにより、最終印刷物ＦＰの形態、例えば、折り丁４２の数、背４４等の周縁部４６の各サイズ（高さ・幅）等の実サイズを把握できる。
【００６２】
次いで、丁合い画像作成部８６は、２以上の折り丁４２の形態を表す折り丁画像２００を作成する（ステップＳ５２）。図６に例示する折り丁画像２００は、背４４側から観察した正面視の画像を表す。折り丁画像２００中の各矩形は、折り丁４２の形態をそれぞれ模擬的に表している。
【００６３】
次いで、マーク形態指定部８２は、各マーク集合体４８、５４の形態をそれぞれ指定する（ステップＳ５３）。この「形態」は、個々のマーク５０等の形状のみならず、繰り返し単位５２の周期数、各マーク５０同士の相対的位置関係をも含む概念である。
【００６４】
ステップＳ５３及び後述するステップＳ５４での指定方法は、予め決定された形態を指定する方法であってもよいし、面付けデータを参照することで取得したマーク情報に基づいて指定してもよい。以下、ユーザインターフェース（ＵＩ部９２）からの入力に応じて、マーク情報入力部９４を介して、マーク集合体４８、５４の形態を指定する方法について詳細に説明する。
【００６５】
図７に示すように、ウィンドウ１００上には、各マーク集合体４８、５４の形状を設定するための第１設定部１０２と、各マーク集合体４８、５４の配置領域４７、５３を設定するための第２設定部１０４と、［プレビュー］と表記されたボタン１０６とがそれぞれ配置されている。なお、ウィンドウ１００内のタブ１０８の切り替え操作に応じて、複数のマーク情報を一時に設定・入力できる。
【００６６】
第１設定部１０２は、プルダウンメニュー１１０、１１２の操作に応じて、予め登録されたマーク集合体４８、５４の形状及び色彩をそれぞれ設定する。後述するように、［編集］と表記されたボタン１１４のクリック操作に応じて、マーク集合体４８、５４の形状をカスタムで登録してもよい。また、第１設定部１０２は、プルダウンメニュー１１６、１１８、及び１２０の操作に応じて、マーク５０、５６〜５８の高さ・幅、背景色、及び向きをそれぞれ設定する。この設定操作の結果、図８Ａ及び図８Ｂに示す各形態が指定されたとする。説明の便宜のため、折り丁画像２００（破線で示す。）の一部を併せて表記している。
【００６７】
図８Ａに示すように、マーク集合体４８（図２参照）に対応する画像集合体２０２は、複数のマーク画像２０４で構成されている。各マーク画像２０４は、高さ方向に長尺な矩形状であり、それぞれ同一の形状を有している。各マーク画像２０４は、周期的に位置を異ならせて配置されている。ここで、画像集合体２０２の繰り返し単位（繰り返し画像２０６）は、６つのマーク画像２０４からなる。
【００６８】
図８Ｂに示すように、マーク集合体５４（図２参照）に対応する画像集合体２０８は、複数のマーク画像２１０、２１１、２１２で構成されている。各マーク画像２１０は、幅方向に僅かに長尺な矩形状である。各マーク画像２１１は、マーク画像２１０と同一の形状を有するマークを高さ方向に２つ並べて構成されている。各マーク画像２１２は、マーク画像２１０と同一の形状を有するマークを高さ方向に３つ並べて構成されている。６つのマーク画像２１０からなるインデックス画像２１４は、１番目の繰り返し画像２０６に対応する。６つのマーク画像２１１からなるインデックス画像２１５は、２番目の繰り返し画像２０６に対応する。６つのマーク画像２１２からなるインデックス画像２１６は、３番目の繰り返し画像２０６に対応する。
【００６９】
このように、マーク形態指定部８２は、折り丁４２毎の配置位置を周期的に変化させた２以上のマーク５０からなるマーク集合体４８を少なくとも１つ指定するとともに、繰り返し単位５２の配列順番を表す２以上のマーク５６〜５８からなるマーク集合体５４を少なくとも１つ指定する。
【００７０】
なお、図８Ａ及び図８Ｂに例示するマーク画像２０４、２１０〜２１２（図２のマーク５０、５６〜５８）はいずれも矩形状であるが、形状の差異を識別可能であれば種類は問わない。例えば、円形、楕円形、三角形、多角形、記号、文字又はこれらの結合であってもよい。
【００７１】
次いで、配置領域指定部８４は、各マーク集合体４８、５４を配置する配置領域４７、５３をそれぞれ指定する（ステップＳ５４）。
【００７２】
図７に戻って、第２設定部１０４は、チェックボックス群１２２の操作に応じて、マーク集合体４８、５４の付与位置（本図例では、背４４、天の前側、天の後側、地の前側、及び地の後側のうちの少なくとも１つ）をそれぞれ設定する。また、第２設定部１０４は、プルダウンメニュー１２４、１２６の操作に応じて、マーク集合体４８、５４のサイズ定義、及びオフセット量をそれぞれ設定する。この設定操作の結果、図８Ｃに示すように、配置領域４７（図２参照）に対応する画像領域２１８が指定され、配置領域５３（同参照）に対応する画像領域２２０が指定されたとする。
【００７３】
そして、作業者による［プレビュー］ボタン１０６（図７参照）のクリック操作に応じて、次のステップＳ５５（図５参照）に進む。
【００７４】
次いで、丁合い画像作成部８６は、丁合い物４０（図２参照）を模擬的に可視化する丁合い画像２４６を作成する（ステップＳ５５）。具体的には、丁合い画像作成部８６は、ステップＳ５３において各形態が指定された各画像集合体２０２、２０８を、ステップＳ５４で指定された折り丁画像２００上の各画像領域２１８、２２０に重ねて配置する。
【００７５】
次いで、表示制御部６４は、ステップＳ５５で作成された丁合い画像２４６を表示部２８に表示させる（ステップＳ５６）。具体的には、表示制御部６４は、ウィンドウ１００（図７参照）とは別のウィンドウ２４０を新たに表示させる。
【００７６】
図９に示すように、ウィンドウ２４０には、プレビュー画像を表示する表示欄２４２と、［閉じる］と表記されたボタン２４３と、［ＯＫ］と表記されたボタン２４４とがそれぞれ配置されている。表示欄２４２の中央部には、背４４側から視た丁合い画像２４６が表示されている。丁合い画像２４６の上方には、天側から視た平面図２４８が併せて表示されている。丁合い画像２４６の下方には、地側から視た底面図２５０が併せて表示されている。これにより、作業者は、丁合い物４０を実際に印刷することなく、現物と同一のマーク集合体４８、５４の形態（又は、配置領域４７、５３）等を容易に確認できる。
【００７７】
次いで、制御部６０は、マーク情報の設定変更の指示を受け付けたか否かを判別する（ステップＳ５７）。具体的には、ウィンドウ２４０（図９参照）上の［ＯＫ］ボタン２４４のクリック操作があったか否かで判別する。指示を受け付けていないと判別された場合（ステップＳ５７：ＮＯ）、制御部６０は、マーク情報の変更の指示を受け付けたか否かをさらに判別する（ステップＳ５８）。具体的には、［閉じる］ボタン２４３（図９参照）をクリックした後、第１設定部１０２又は第２設定部１０４（図７参照）を介して各値の変更があったか否かで判別する。
【００７８】
指示を受け付けていない場合（ステップＳ５８：ＮＯ）、ステップＳ５６に戻って、表示制御部６４は、ウィンドウ２４０を表示部２８に継続して表示させる。一方、指示を受け付けた場合（ステップＳ５８：ＹＥＳ）、ステップＳ５３に戻って、表示データ作成部７４は、入力部３０により入力されたマーク情報を新たに取得する。以下、ステップＳ５３〜Ｓ５６を繰り返し、現時点でのマーク情報に応じた丁合い画像２４６を適時表示する。
【００７９】
ところで、ウィンドウ１００の［編集］ボタン１１４（図７参照）のクリック操作に応じて、表示制御部６４は、マーク集合体４８、５４の形態を編集するためのウィンドウ１４０を表示部２８に表示させる。
【００８０】
図１０に示すように、ウィンドウ１４０上には、マーク集合体４８、５４の形態を編集・設定するための第３設定部１４２と、［更新］と表記されたボタン１４４と、現時点で設定されているマーク集合体４８等を可視化して表示する表示欄１４６と、２つのボタン１４８とがそれぞれ配置されている。
【００８１】
本図例では、第３設定部１４２は、マーク集合体４８等の登録名、繰り返しパターンの種類、マーク５０等の形状、高さ方向（上下方向）の全長、マーク５０等の高さ、又はマーク５０等の幅をそれぞれ設定可能である。
【００８２】
［更新］ボタン１４４のクリック操作に応じて、表示データ作成部７４は、第３設定部１４２により現時点で設定されている各種変数を取得して、ウィンドウ１４０上の表示欄１４６の描画内容を更新する。そして、２つのボタン１４８の操作により、マーク集合体４８等の編集内容を破棄（又は保存）し、編集モードを終了する。
【００８３】
これにより、作業者は、マーク集合体４８等の形態を独自に設定できる。例えば、マーク５０等を光学的に読み取る検査装置を用いて、丁合い結果の適否を検査する際、前記検査装置の仕様、換言すれば、読み取りの制約条件（例えば、マーク５０の位置、サイズ、形状、マーク５０等同士の離間距離）を考慮して設定できるので、便宜である。
【００８４】
図５に戻って、ステップＳ５７において設定変更の指示を受け付けた場合、画像編集部７０は、最終印刷物ＦＰに関する面付けデータを更新する（ステップＳ５９）。具体的には、画像編集部７０は、複数の端物３６（図１参照）に対応する面付け領域内の画像領域２１８、２２０（図８Ｃ参照）に、画像集合体２０２、２０８を付加する旨のデータを追加する。そして、制御部６０は、この更新後の面付けデータをメモリ６８に記録させる。これにより、マーク情報が記憶される。
【００８５】
このようにして、丁合い用のマーク５０、５６〜５８が電子的に付与される（図４のステップＳ５）。そして、印刷された複数の端物３６に対して紙折り及び丁合いを施すことで、図２に示すように、２以上の折り丁４２にわたって、複数のマーク集合体４８、５４がそれぞれ形成されていた丁合い物４０が得られる。
【００８６】
以上のように、２以上の折り丁４２の形態を表す折り丁画像２００上の、指定された各配置領域４７、５３に対応する画像領域２１８、２２０に、指定された各マーク集合体４８、５４の形態を表す画像集合体２０２、２０８をそれぞれ重ねて配置することで、丁合い物４０の形態を模擬的に可視化する丁合い画像２４６を作成するようにしたので、マーク５０、５６〜５８の形態及び配置位置の組み合わせの指定が簡便であるとともに、現物（丁合い物４０）と同一の形態について容易に確認可能である。これにより、丁合い用のマーク５０、５６〜５８の形態及び配置位置を容易且つ簡便にカスタマイズできる。
【００８７】
続いて、本実施の形態に係る画像編集装置２０の変形例（第１〜第４変形例）について、図１１〜図１３を参照しながら説明する。なお、変形例において本実施の形態と同一である構成要素には、同一の参照符号を付して詳細な説明を省略する。
【００８８】
［第１変形例］
本実施の形態に係るウィンドウ１４０（図１０参照）では、各マーク集合体４８等の形態を編集可能に設けているが、複数のマーク集合体１６２ａ〜１６２ｄをグループ化して編集してもよい。
【００８９】
図１１に示すように、ウィンドウ１６０上には、マーク集合体１６２ａ、１６２ｂ、１６２ｃ、１６２ｄの組合せ（以下、マークテンプレート１６４という。）を編集・設定するための第４設定部１６６と、各マーク集合体１６２ａ〜１６２ｄの位置を模式的に表示するインデックス欄１６８と、現時点で設定されているマークテンプレート１６４を可視化して表示する表示欄１７０と、２つのボタン１７２とがそれぞれ配置されている。
【００９０】
本図例では、第４設定部１６６を介して、マークテンプレート１６４の登録名、各マーク集合体１６２ａ〜１６２ｄのマーク表記での追加、テキスト表記での追加、又はこれらの削除をそれぞれ設定可能である。
【００９１】
第４設定部１６６での設定変更に応じて、表示データ作成部７４は、現時点で設定されている各種変数を取得して、ウィンドウ１６０上のインデックス欄１６８及び表示欄１７０の描画内容を更新する。そして、２つのボタン１７２の操作により、マークテンプレート１６４の編集内容を破棄（又は保存）し、編集モードを終了する。
【００９２】
また、折り丁４２の配列順番を一意に決定させるため次の構成を採ってもよい。例えば、マーク一致性判別部８８は、２以上の折り丁４２のうち、マーク集合体１６２ａ〜１６２ｄにより形成されるマークの形態及び配置位置がすべて一致する折り丁４２（以下、単に「マークが一致する折り丁４２」という。）が存在するか否かを判別する。そして、存在すると判別された場合、警告画像作成部９０は、その旨を警告する警告画像１７４を作成して、ウィンドウ１６０上に重畳させる。
【００９３】
そうすると、図１２に示すように、ウィンドウ１６０上の左下部に、「同じマークの折り丁があります。」と表記された警告画像１７４が配置される。これにより、作業者に注意を喚起できる。また、警告画像作成部９０は、警告画像１７４に代替あるいは追加して、２つの枠画像１７６、１７８を作成し、表示欄１７０内の所定位置（マークが一致する折り丁４２）にそれぞれ重畳させてもよい。
【００９４】
さらに、マーク形態指定部８２は、マークが一致する折り丁４２が存在するようなマーク集合体１６２ａ〜１６２ｄの形態の指定を禁止してもよい。これに代替して、第４設定部１６６での設定を禁止してもよい。
【００９５】
［第２変形例］
本実施の形態に係るウィンドウ２４０（図９参照）上において、丁合い画像２４６を二次元形態で表示可能に構成されているが、三次元形態であってもよい。
【００９６】
図１３Ａに示すように、ウィンドウ２６０上には、丁合い画像２６２を三次元形態で表示する表示欄２６４と、丁合い画像２６２の表示態様を変更自在に設けられたアイコン群２６５とがそれぞれ配置されている。
【００９７】
入力部３０を介する所定の操作、具体的には、アイコン群２６５のクリック操作、及び／又は表示欄２６４内でのドラッグ操作等に応じて、表示状態情報入力部９６は、丁合い画像２６２を３ＤＣＧ（3-Dimensional Computer Graphics）で表示するための表示状態変数を本体部２６側に入力する。そして、丁合い画像作成部８６は、取得した表示状態変数に基づいて、丁合い画像２６２を作成する。そして、入力部３０での操作に追随して丁合い画像２６２を即時に変化させることにより、丁合い画像２６２のページ捲り、回転、反転等の物理的変化を仮想的に再現させることができる。
【００９８】
概略直方体状の丁合い画像２６２は、骨格のみで表示されている。この骨格により形成される各面は、透明又は半透明の色で表示されている。丁合い画像２６２の背２６６には、複数の矩形状マークからなるマーク集合体２６８が形成されている。また、丁合い画像２６２の天２７０には、複数の円形状マークからなるマーク集合体２７２が形成されている。なお、マーク集合体２６８、２７２の各マークは、マーク形態指定部８２により指定された色を半透明に変化した状態で表示されている。
【００９９】
表示欄２６４上にある任意の地点２７４をポインタ２７６が指示する状態下で、マウス３４のドラッグ操作（矢印Ａ方向）が行われると、ポインタ２７６の移動に追随するように、丁合い画像２６２の形状が変化する。すなわち、図１３Ｂに示すように、軸２７８を中心として、丁合い画像２６２全体が右回りに回動した表示形態に遷移し、表示欄２６４上には、天地を反転させた丁合い画像２６２が表示される。
【０１００】
このとき、マーク集合体２６８の各マークは、図１３Ａと同様に、指定された色を半透明に変化した状態で表示されている。一方、マーク集合体２７２の各マークは、図１３Ａとは異なり、マーク形態指定部８２により指定された色（非透明）の状態で表示されている。すなわち、同一の丁合い画像２６２上に透明度が異なるマーク集合体２６８、２７２をそれぞれ表示することで、複数の面（例えば、背２６６及び天２７０）に配置されたマークの形態及び配置位置を同時に視認できる。また、所定の時間差を設けながらマーク集合体２６８、２７２を交互に点滅表示させても同様の効果が得られる。
【０１０１】
［第３変形例］
本実施の形態では、ユーザインターフェース（ＵＩ部９２）からの入力に応じてマーク集合体４８、５４の形態を指定可能に設けているが、自動的に指定してもよい。例えば、マーク形態指定部８２は、折り丁４２の数及び折り丁４２の厚さに基づいて繰り返し単位５２を構成するマーク５０の個数を決定し、その値を指定する。これにより、作業者にとって識別性が高いマーク集合体４８を付与できる。
【０１０２】
［第４変形例］
本実施の形態では、ユーザインターフェース（ＵＩ部９２）からの入力に応じてマーク集合体４８、５４の配置領域４７、５３を指定可能に設けているが、自動的に指定してもよい。例えば、配置領域指定部８４は、所定の規則に従って、各マーク集合体４８、５４が互いに重ならない位置関係下に配置領域４７、５３を順次指定する。所定の規則の一例として、配列方向（背４４の場合は、下端から上端）や、優先順位（背４４、天、及び地の順）等が挙げられる。これにより、マーク集合体４８、５２の印刷不具合（重複印刷、画像の欠け等）を防止できる。
【０１０３】
なお、この発明は、上述した実施形態に限定されるものではなく、この発明の主旨を逸脱しない範囲で自由に変更できることは勿論である。
【符号の説明】
【０１０４】
１０…印刷物生産システム                  １２…製版サイト
１４…印刷サイト                          １６…データベースサーバ
２０…画像編集装置                        ２２…校正機
２８…表示部                              ３０…入力部
４０…丁合い物                            ４２…折り丁
４４…背                                  ４６…周縁部
４７、５３…配置領域                      ４８、５４…マーク集合体
５０、５６〜５８…マーク                  ６０…制御部
６４…表示制御部                          ６８…メモリ
７４…表示データ作成部                    ８０…面付け情報取得部
８２…マーク形態指定部                    ８４…配置領域指定部
８６…丁合い画像作成部                    ８８…マーク一致性判別部
９０…警告画像作成部
１００、１４０、１６０、２４０、２６０…ウィンドウ
１７４…警告画像                          １７６、１７８…枠画像
２００…折り丁画像                        ２０２、２０８…画像集合体
２１８、２２０…画像領域                  ２４６、２６２…丁合い画像
【図１】
0005714425.tif 000002
【図２】
0005714425.tif 000003
【図３】
0005714425.tif 000004
【図４】
0005714425.tif 000005
【図５】
0005714425.tif 000006
【図６】
0005714425.tif 000007
【図７】
0005714425.tif 000008
【図８】
0005714425.tif 000009
【図９】
0005714425.tif 000010
【図１０】
0005714425.tif 000011
【図１１】
0005714425.tif 000012
【図１２】
0005714425.tif 000013
【図１３】
0005714425.tif 000014